(57)【要約】【課題】特に光干渉トモグラフィにより、試料表面から反射され、基準光ビームと比較される低干渉性光ビームを用いて、光学的な撮像を行うための方法を提供する。【解決手段】この方法では、参照点を基準にした生体組織試料の表面位置及び必要な遅延走査範囲を検出するために実時間動的光学的フィードバックを用いる。この遅延を、電圧調整可能なガルバノメータによって駆動されるミラーを傾斜／回転することで生み出す。この方法を実現するための撮像プローブ装置を構成した。このプローブは、生体組織表面を見つけるまで、最初に一本の線に沿って走査を行う。生体組織表面は、信号無しの状態からより大きな信号への鋭い推移を見れば特定できる。次に、該プローブが次の線を走査するときには、前回の走査に応じて波形を調整する。最適の走査範囲を決めるためのアルゴリズムを開示した。【選択図】図９
2015096240.tif 000002
【特許請求の範囲】
【請求項１】
実時間フィードバック及び補正により参照点に対する一表面位置を撮像する撮像方法であって、
（ａ）最初の走査線を取り、
（ｂ）表面位置Ｓを見つけ、
（ｃ）最適の走査範囲Ｒを見つけ、
（ｄ）前記最適の走査範囲データをメモリ記憶装置に保存し、
（ｅ）参照アーム遅延波形を調整変更して、出力を供給し、
（ｆ）前記波形の前記出力データをメモリ記憶装置に保存し、
（ｇ）参照アームに前記出力を出力し、
（ｈ）前記画像が全てかどうかを調べ、
（ｉ）前記画像が完全でない場合には、次の走査線まで動かすか、あるいは前記画像が完全である場合には、前記メモリ記憶装置内に蓄えられた前記表面Ｓデータ及び前記波形データを用いて前記画像を再マッピングし、
（ｊ）前記画像を保存するか画面に表示する
ステップを有する撮像方法。
【請求項２】
請求項１に記載の撮像方法において、
追加の画像が撮られる追加の走査線をさらに取って、上記ステップ（ａ）から（ｊ）を繰り返すステップ（ｋ）をさらに有していることを特徴とする撮像方法。
【請求項３】
請求項１の撮像方法において、
前記ステップ（ｉ）の再マッピングを式：
（１）Ｉ（Ｘｎ，ｚ）＝Ｉａｃｑ（Ｘｎ，ｚ−Ｓｎ）
に従って行うことを特徴とする撮像方法。
ここで、ｎは特定の軸線走査を意味しかつマッピングが行われるところに近く、ｘは軸線走査の横方向位置、ｚは走査における深さ位置、Ｉａｃｑは集められた画像強度、そしてＳｎは走査ｎにおける表面距離である。
【請求項４】
請求項１に記載の撮像方法において、
前記ステップ（ｉ）の再マッピングを式：
（２）Ｉ（Ｘｎ，ｚ）＝Ｉａｃｑ（Ｘｎ，ｚ−Ｓｎ−１）
に従って行うことを特徴とする撮像方法。
ここで、ｎは特定の軸線走査を意味しかつマッピングが行われるところに近く、ｘは軸線走査の横方向位置、ｚは走査における深さ位置、Ｉａｃｑは集められた画像強度、そしてＳｎは走査ｎにおける表面距離である。
【請求項５】
請求項１に記載の撮像方法において、
前記ステップ（ｉ）の再マッピングを式：
（３）Ｉ（Ｘｎ，ｚ）＝Ｉａｃｑ（Ｘｎ，ｚ−Ｓｎ＋１）
に従って行うことを特徴とする撮像方法。
ここで、ｎは特定の軸線走査を意味しかつマッピングが行われるところに近く、ｘは軸線走査の横方向位置、ｚは走査における深さ位置、Ｉａｃｑは集められた画像強度、そしてＳｎは走査ｎにおける表面距離である。
【請求項６】
撮像カテーテルを用いてオートフォーカスモードで実時間フィードバック及び補正により参照点に対する一表面位置を撮像する撮像方法であって、
（ａ）最初の走査線を取り、
（ｂ）表面位置Ｓを見つけ、
（ｃ）ｚを深さを表す変数、εを画素ないし増加分として、大体ｚ＞（Ｓ＋ε）に対してサンプリングアーム焦点を調整変更し、
（ｄ）ｚ＝Ｓ＋εにおける信号Ｉ（ｚ）をチェックし、
（ｅ）Ｉ（ｚ）が最適化されていない場合には、前記サンプリングアーム焦点を調整変更し、Ｉ（ｚ）が最適化されている場合には、次の走査線まで動かす
ステップを有する撮像方法。
【請求項７】
請求項６に記載の撮像方法において、
画像が完全でない場合には、次の走査線まで動かして、上記ステップ（ｂ）から（ｅ）を繰り返すステップ（ｆ）をさらに有していることを特徴とする撮像方法。
【請求項８】
カテーテルによる共焦点顕微鏡のパラメータを調整する方法であって、
（ａ）最初の走査線を取り、
（ｂ）最適の走査範囲Ｒを画定し、
（ｃ）ｗ０をビーム半径とし、λを波長とし、２ｚＲを共焦点パラメータとして、２ｚＲ＝２πｗ０２／λと表すときに、最適の共焦点パラメータ２ｚＲを算出し、
（ｄ）εを画素ないし変化量としたときに、大体２ｚｅ＞（Ｒ＋ε）となるように、前記カテーテル共焦点パラメータを調整する
ステップを有する方法。
【請求項９】
請求項８に記載の方法において、
画像が完全でない場合には、次の走査線まで動かして、上記ステップ（ｂ）から（ｄ）を繰り返すステップ（ｅ）をさらに有していることを特徴とする方法。
【請求項１０】
請求項８に記載の方法において、
（ａ）走査データを含む曲線を平滑化し、
（ｂ）略信号がゼロ、である遠い点ｚを選び、Ｉ（ｚｍａｘ）がノイズであるようにし、
（ｃ）Ｉ（ｚ′）＞Ｉ（ｚｍａｘ）かつＲ＝ｚ′−Ｓとなるまでｚを小さくする
ことを含むステップによって前記走査範囲Ｒを算出することを特徴とする方法。
【請求項１１】
請求項８に記載の方法において、
（ａ）走査データを含む曲線を平滑化し、
（ｂ）曲線の導関数を取り、
（ｃ）ｄ（Ｉ（ｚ′））／ｄｚ＝０かつＲ＝ｚ′−Ｓとなるところを特定する
ことを含むステップによって前記走査範囲Ｒを算出することを特徴とする方法。
【請求項１２】
試料表面を撮像するための光学的撮像装置であって、
（ａ）低干渉性光ビームを生成する光源と、
（ｂ）光プローブと、
（ｃ）光コネクタによって前記光プローブに着脱自在に接続可能とされて、前記低干渉性光ビームを含んだ基準光と反射された試料光とを互いに干渉可能にする結合器と、
（ｄ）この干渉を検出する検出器と、
（ｅ）前記検出器によって検出された信号に基づいて画像信号を生成するための画像信号生成器と、
（ｆ）基準光伝達遅延時間を付与するための手段と
を有している光学的撮像装置。
【請求項１３】
請求項１２に記載の装置において、
前記基準光伝達遅延時間を付与するための手段は、軸上で少なくとも部分的に傾斜及び回転が可能なミラー、ならびに該ミラーを傾斜させかつ回転させるように駆動するガルバノメータを備えていることを特徴とする装置。
【請求項１４】
請求項１３に記載の装置において、
前記ガルバノメータは、印加電圧に比例して前記ミラーを角度的にふれさせるように設けられていることを特徴とする装置。
【請求項１５】
請求項１４に記載の装置において、
前記印加電圧は、前記撮像される表面までの前記プローブからの距離を探知する三角形波ないしセラダイン波を含めた駆動波によって規定されていることを特徴とする装置。
【請求項１６】
請求項１５に記載の装置において、
前記ミラーは、深さ方向の走査を実現するように高い周波数で、しかも前記プローブと前記表面との間の距離に対応するオフセットを重ね合わせた状態で前記角度のふれがつけられるように設けられていることを特徴とする装置。
【請求項１７】
請求項１６に記載の装置において、
前記遅延時間は、実時間で設定されるように構成されていることを特徴とする装置。
【請求項１８】
請求項１２に記載の装置において、
前記基準光伝達遅延時間を付与するための手段は、時間の関数として変化する格子周期を持つ回折格子を備えていることを特徴とする装置。
【請求項１９】
請求項１８に記載の装置において、
前記回折格子は、平面であることを特徴とする装置。
【請求項２０】
請求項１８に記載の装置にいて、
前記回折格子は、ブレーズ型とされていることを特徴とする装置。
【請求項２１】
請求項１２に記載の装置において、
前記基準光伝達遅延時間を付与するための手段は、モータで制御される直線変換装置上に、往復するように取り付けられたミラーを備えていることを特徴とする装置。
【請求項２２】
請求項１２に記載の装置において、
前記基準光伝達遅延時間を付与するための手段は、ドラムを備え、該ドラムが、該ドラム自身の周りに巻回された少なくとも一つの光学的に伝達するファイバを有しており、さらに、コンピュータからの信号に反応して前記ドラムの直径を変えるための前記ドラムに対して設けられたピエゾ電気ユニットを備え、前記ファイバを引き伸ばしたり緩めたりするように設けられていることを特徴とする装置。
【請求項２３】
請求項１２に記載の装置において、
前記基準光伝達遅延時間を付与するための手段は、コンピュータにより制御される回折格子を備え、該回折格子の周期性は、前記回折格子に対して設けられた音響光学変調器の周波数を用いて変えられるように設けられていることを特徴とする装置。
【請求項２４】
（ａ）ハウジングと、
（ｂ）先端部を有して、少なくとも部分的に前記ハウジング内に配置されている光ファイバと、
（ｃ）前記ファイバ先端部の近傍に、前記ハウジングに対して固定されるように設けられたレンズと、
（ｄ）前記レンズに対して設けられたプリズムと、
（ｅ）前記プリズムを回転するための手段と、
（ｆ）前記ファイバが設けられる圧電変換器と、
（ｇ）導電性のワイヤと、
（ｈ）前記変換器を駆動するための手段とを備え、前記光ファイバ先端部と前記レンズとの間の距離を変えるために、前記変換器の長さを変更するように設けられている撮像プローブ。
【請求項２５】
（ａ）ハウジングと、
（ｂ）先端部を有して、少なくとも部分的に前記ハウジング内に配置されている光ファイバと、
（ｃ）前記ファイバ先端部の近傍に、前記ハウジングに対して固定されるように設けられたレンズと、
（ｄ）前記レンズに対して設けられたプリズムと、
（ｅ）前記プリズムを回転するための手段と、
（ｆ）拡張可能な部材と、
（ｇ）前記光ファイバ先端部と前記レンズとの間の距離を制御自在に変更するよう、前記拡張可能な部材にガスもしくは流体を供給するために、前記拡張可能な部材と接続状態にあるチューブとを備えている撮像プローブ。
【請求項２６】
（ａ）ハウジングと、
（ｂ）先端部を有して、少なくとも部分的に前記ハウジング内に配置されている光ファイバと、
（ｃ）前記ファイバ先端部の近傍に、前記ハウジング内に配置されたレンズと、
（ｄ）前記レンズに対して設けられたプリズムと、
（ｅ）前記プリズムを回転するための手段と、
（ｆ）前記レンズが設けられる圧電変換器と、
（ｇ）導電性のワイヤと、
（ｈ）前記変換器を駆動するための手段とを備え、前記プリズムと前記レンズとの間の距離を変えるために、前記変換器の長さを変更するように設けられている撮像プローブ。
【請求項２７】
（ａ）ハウジングと、
（ｂ）先端部を有して、少なくとも部分的に前記ハウジング内に配置されている光ファイバと、
（ｃ）前記ファイバ先端部の近傍に、前記ハウジング内に配置された複数のレンズ要素と、
（ｄ）前記レンズに対して設けられたプリズムと、
（ｅ）前記プリズムを回転するための手段と、
（ｆ）前記複数のレンズ要素の全体の焦点距離を変更するための手段とを備えている撮像プローブ。
【請求項２８】
請求項２７に記載の撮像プローブにおいて、
前記焦点距離を変更するための手段は、前記複数のレンズ要素のうち少なくとも２つのレンズ間の相対距離を変更するための手段を備えていることを特徴とする撮像プローブ。
【請求項２９】
請求項２７に記載の撮像プローブにおいて、
前記複数のレンズ要素は、流体もしくは半流体を内包する柔軟なレンズ外皮を少なくとも一つ備えていることを特徴とする撮像プローブ。
【請求項３０】
請求項２９に記載の撮像プローブにおいて、
前記流体ないし半流体は、信号に反応して屈折率を変えるように設けられていることを特徴とする撮像プローブ。
【発明の詳細な説明】
【技術分野】
【０００１】
〔関連出願の相互参照〕
本出願は、２００１年４月３０日に出願され、本出願の譲受人に共に譲渡された仮出願第６０／２８７，４７７号に対する優先権を主張する。先の出願の内容は、本明細書に包括的に組み込まれている。
【０００２】
本発明は、試料表面から反射され、基準光ビームと比較される低干渉性光ビームを用いた光学的イメージング（光学的な撮像）のための方法であって、参照点を基準にした生体組織試料の表面位置と必要な遅延走査範囲（delay scan range）を検出するために実時間動的光学的フィードバックを用いる方法に関する。また、本発明は、この方法を実施するための撮像プローブ装置に関する。
【背景技術】
【０００３】
光干渉トモグラフィ（OCT ; optical coherence tomography）（光干渉断層計）は、一つのイメージング技術であり、この技術は、標的の生体組織領域に入射してから生体組織内で散乱により反射されて検出器へと戻る検出光ビームと、基準光ビームとの間の干渉を測定するものである。血管をＯＣＴ撮像する際には、撮像プローブを血管内に挿入し、血管壁を予め設定された一連の弧からなるセグメントで３６０度周方向走査し、これにより、一つの断層イメージを得る。このプローブ先端部は、軸線周りに生体組織断面を周方向走査するように、そして縦方向に血管を区分した長さを走査するように回され、こうして、２次元にマップ化された生体組織構造の情報が得られるようになっている。管腔内のプローブの軸線方向位置は、管腔の軸線方向中心に対して変わらない。しかしながら、壁の表面は、局所的様相や幾何学形状の点で変化することがあり、プローブ先端部と表面との間の距離が変わることになる。従来のＯＣＴ撮像は、所定高さからなる概ね矩形の「ウィンドウ（window）」の中に入射光ビームを生成するのに、決められた波形を用いているため、壁の表面高さが変わると、血管壁の所定領域における生体組織データを収集するのに誤差が生じる可能性がある。波形を変調させて、これによりプローブが何処にあって何を見ているかに基づきウィンドウをシフトさせるようなフィードバック機構を設けることが望ましいと考えられる。
【０００４】
典型的なＯＣＴシステムの場合、走査する線（scanning line）の長さとその初期位置は、常に一定でありかつ固定されていた。上記問題を克服するための一つのやり方は、ウィンドウをより大きくすることであるが、その際の問題は、同じ時間の間により大きな面積（エリア）に亙って情報を集めるせいで、信号対ノイズ比ならびにそれに伴う感度が悪くなるということにある。
【発明の概要】
【発明が解決しようとする課題】
【０００５】
走査の開始位置を異なる場所に調整するために、生体組織表面を特定することを使うことが望ましかろう。表面を特定すれば、サンプリングアーム内での焦点位置を調整するのにも利用できよう。走査範囲を調整するのに生体組織内での光の減衰を特定することを使えれば、さらに望ましかろう。この減衰の特定は、最適の焦点深度ないし共焦点パラメータを決定するのにも用いることができよう。
【課題を解決するための手段】
【０００６】
本発明は、試料表面から反射されて基準光ビームと比較される低干渉性光ビームを用いる光学的イメージングを提供する。その際、参照点を基準にした生体組織試料の表面位置及び必要な遅延走査範囲（delay scan range）を見つけるために実時間動的光学的フィードバックが用いられる。また、本発明は、この方法を実施するための撮像プローブ装置に関する。このプローブは、生体組織表面を見つけるまで、最初に一本の線に沿って走査を行う。生体組織表面は、信号無しの状態からより大きな信号への鋭い推移として特定することができる。次に、該プローブが次の線を走査するときには、前回の走査に応じて波形を調整する。
【０００７】
本発明は、以下に記載されるような時間遅延走査ユニットを提供する。また、本発明は、光学的走査システムのための焦点調整機構をも提供する。また、本発明は、生体組織表面に対するプローブの距離（これは表面トポグラフィーとプローブ長さの設計／構成により変わる）をより正確に特定するための時間遅延走査の方法を提供する。
【０００８】
本発明では、遅延線を作り出すための幾つかの新しい機構の一つとして、ロッキングミラー（rocking mirror）が設けられる。ロッキングミラーは、コンピュータならびに走査プローブと同期させたまま、遥かに素早くかつより正確に動かすことができる。本発明は、位置を特定するための一つのアルゴリズムを提供し、これにより、プローブ先端部から生体組織までの距離に合わせるようにして、ガルバノメータのＤＣオフセット角に対する変化が決定されるようになっている。加えて、本発明は、有用／有効な画像情報だけが含まれるようにコヒーレンス・ゲート走査深さ（coherence gate scan depth）を調整するため、ガルバノメータのＡＣ角を変更するための動的なアクティブ・フィードバックを提供する。また、最終的に、本発明は、動的なアクティブ・フィードバック用いて、カテーテルの集光特性（焦点距離、スポットサイズ、及び共焦点パラメータ）を調整することが可能である。
【０００９】
以下に、本発明の詳細な説明において、本発明の上記ならびにその他の対象、特徴、及び長所について、特許請求の範囲ならびに図面と照らし合わせて論じかつ明らかにする。
【図面の簡単な説明】
【００１０】
【図１】従来のＤＣベースライン・オフセットのセラダイン波形のグラフを表す図である。
【図２Ａ】１回の外形輪郭走査波形の血管壁オフセット外形輪郭形状のグラフを表す図である。
【図２Ｂ】ΔＬＲの通常の（一定オフセット）走査波を示す図である。
【図２Ｃ】図２Ｂのセラダイン波形上に図２Ａの外形ΔＬを重ね合わせたグラフを表す図である。
【図２Ｄ】２つの軸線走査ｅ１及びｅ２の期間に亙る補正された参照アーム走査を示す図である。
【図３Ａ】走査深さ制御のグラフを表す図である。
【図３Ｂ】図３Ａの走査範囲と管腔を断面にして表示した図である。
【図３Ｃ】実際の走査の断面像を示す図である。
【図４】従来のＯＣＴイメージ・ウィンドウと本発明によるウィンドウを比較して示す図である。
【図５】最初のオフセット及びΔｚつまり有効な走査範囲のグラフを表す図である。
【図６】生体組織表面の外形輪郭に対して参照アームによる遅延を適合させるために修正調整されたガルバノメータマップ化波形のグラフを表す図である。
【図７Ａ１】参照アームの連続した遅延走査線を示す図である。
【図７Ａ２】参照アームの連続した遅延走査線を示す図である。
【図７Ｂ１】参照アームの連続した遅延走査線を示す図である。
【図７Ｂ２】参照アームの連続した遅延走査線を示す図である。
【図７Ｃ１】参照アームの連続した遅延走査線を示す図である。
【図７Ｃ２】参照アームの連続した遅延走査線を示す図である。
【図８Ａ】ΔＬに対するΔｘを示す図である。
【図８Ｂ】ＬＲに対する時間を示す図である。
【図９】本発明の一実施形態によるアルゴリズムの流れ図である。
【図１０】有り得る生体組織表面境界と信号閾値強度の当たりとして考えられる４つの場合を示す図である。
【図１１】走査線を示す図である。
【図１２】コンピュータメモリへのガルバノメータ波形の出力の蓄積による配列を示す図である。
【図１３Ａ】古いウィンドウを示す図である。
【図１３Ｂ】図９のブロック２８から得られる新たなウィンドウを示す図である。
【図１４】オートフォーカス・アルゴリズムを供給する本発明の他の実施形態に関する流れ図を示す。
【図１５】共焦点顕微鏡解析の間の共焦点パラメータ調整に関するアルゴリズムを示す図である。
【図１６】本発明の一実施形態による装置の概略図である。
【図１７】遅延線の概略図である。
【図１８】直線変換装置８５上に往復するように取り付けられたミラー８４によって遅延線が内部に作り出される他のシステムを示す概略図である。
【図１９】コンピュータ２５によってドラム６５が内部で制御されるさらに他のシステムを示す概略図である。
【図２０】音響光学変調器を用いる他の構成を示す図である。
【図２１】本発明によるカテーテルを示す図である。
【図２２】本発明の一実施形態によるカテーテルの部分拡大図である。
【図２２Ａ】ファイバ先端に対してレンズを動かす様子を示す図２２の差し込み部分の図である。
【図２３】レンズ−ファイバ距離オフセットを制御するための風船ないし拡張チャンバを組み込んだ構成のカテーテルの部分拡大図である。
【図２４】焦点を変えるためのシステムを示す概略図である。
【図２５】ファイバ−レンズ離隔距離が固定され、レンズと反射プリズムの間の離隔距離が変更される他の実施形態のシステムの概略図である。
【図２６】複数の素子からなる複合レンズとファイバとの間にギャップを有するシステムの概略図である。
【発明を実施するための形態】
【００１１】
本発明の様々な特徴ならびに長所は、図面から明らかになろう。なお、図の中で同様の参照符号は、同じかもしくは類似の部材を示している。
【００１２】
図１は、典型的なＤＣベースラインオフセットのセラダイン波形（seradyne waveform）のグラフであり、ここで、ＬＲは参照アームの光学的遅延距離オフセットであり、ｔは時間（例えば０〜２０ｋＨｚ）である。一つの走査撮像長さは「ｅ１」として示されており、２番目は「ｅ２」として示されている。ピーク・ツー・ピーク振幅は、ＡＣ成分と称される。
【００１３】
図２Ａは、１回の外形輪郭走査波形による血管壁オフセット輪郭のグラフを示す。ここで、ｘ軸は時間、ｙ軸はΔＬである。図２Ｂは、通常の（一定オフセットの）走査波ΔＬＲを示し、この場合、走査波は、セラダイン波とされ、かつ各周期が１回の走査撮像（走査撮像長さｅ１を有する太線の軸線走査１、及び走査撮像長さｅ２を有する軸線走査２として示されている）である。所定の外形輪郭には、範囲が２５０〜５００程度のセラダイン走査が存在し得る。図２Ａは、１回の走査の期間に対するオフセット補正を示している。光遅延（ΔＬ）は、
ΔＬ＝ΔＬＳ−ΔＬＲ
として計算され、このときΔＬＳは、生体組織表面までのサンプリングアームの距離、ΔＬＲは、参照アームの光経路である。
【００１４】
図２Ｃは、図２Ｂのセラダイン波形上に図２Ａの外形輪郭ΔＬを重ね合わせたものを示している。「Ａ」は開始ゲート、「Ｂ」は生体組織ないし血管表面、「Ｃ」は生体組織内側、「Ｄ」は終了ゲート、「ｅ」波形周期である。図２Ｄは、２回の軸線走査ｅ１ならびにｅ２の周期に亙る補正された参照アーム走査を示す。信号対ノイズ比のレベルを低減するために小さなイメージ・ウィンドウが望ましい。走査はオフセット「ａ」（開始ゲート）で開始される。このオフセットは、僅かに血管表面から離れているので、そのため、血管表面が走査の先頭にくる。これは、アルゴリズム（後で詳述する）を決定するための初期走査オフセット（開始測定）を確立するのに有用である。ｂ−ａで表される「ｂ」と「ａ」の間の差は、外部と血管表面の間のデッドスペースである。ｂ−ｃは、血管表面内側の領域である。図２Ｃのイメージ・ウィンドウは、ｄ−ａで表すことができる。
【００１５】
図３Ａは、走査深さ制御のグラフである。図３Ｂは、図３Ａの走査範囲および管腔を断面で表示したものである。最も内側の円がカテーテル１、次の円の外面が血管の管腔２、次の円の外面が血管壁３、最大走査範囲は符号４で示されている。円形領域内の「＋」は、有効な走査範囲、円内の「−」（マイナス符号）は、有効な走査範囲を超えている。図３Ｃは、実際の走査の断面のイメージである。
【００１６】
図４は、符号５が付されて四角形で表された従来のＯＣＴイメージ・ウィンドウ（実線による）と、本発明のアルゴリズムを用いて得られるウィンドウ（破線による）（ここで、イメージ・ウィンドウは、符号６が付されている）との比較を示す。より小さなウィンドウ６は、遥かに優れた信号対ノイズ比を有し、そしてそれ故に感度が十分に上がり、その結果イメージ（画像）品質が改善されることになる。
【００１７】
これまでのＯＣＴを用いる場合、走査波形は、一定のＡＣ成分、及び固定されたＤＣないしはゆっくり変化する成分を有している。本発明を用いる場合、波形のＡＣ成分ならびにＤＣ成分は、アルゴリズムからのフィードバックにより変化する。図５を参照すると、「Ｄ」，初期オフセット、ならびにΔｚ，有効な走査範囲が観測され、次の走査に対して波形をどのように変更するかが決定される。図６は、参照アームの遅延を生体組織表面外形輪郭に合わせるためにマップ化された、修正変更されたガルバノメータの波形のグラフである。
【００１８】
図７Ａ〜図７Ｃは、次々に続く参照アームの遅延走査線を示している。図７Ａ１および図７Ａ２は、振幅ａ１及びΔｚ１を示す。図７Ｂ１および図７Ｂ２は、振幅ａ２＝２×ａ１およびΔｚ２＝２×Δｚ１を示す。図７Ｃ１および図７Ｃ２は、振幅ａ３＝０．５×ａ１およびΔｚ３＝０．５×Δｚ１を示す。幅（Δｚ）が長くなればなるほど、それだけ一層参照アーム内の遅延も大きくなる。
【００１９】
図８Ａは、Δｘ対ΔＬを示す。図８Ｂは、時間対ＬＲを示す。決められた走査範囲が増えると、ガルバノメータの参照アームＡＣ成分もまた増加する。ＤＣオフセットは、図８Ｂにおけるように、生体組織表面外形輪郭を表す曲線をなぞる。図８Ａの走査１、走査２…等々が、図８Ｂの走査１、走査２上に写っている点に留意されたい。次々に続く走査３，４，…Ｎは、同じようにして、生体組織表面オフセットおよび最適の走査範囲に調整される。現在の走査線（軸線走査）ないし幾つかの走査線におけるデータを調べることにより、続くＮ本の走査線に対して、生体組織表面までのオフセットならびに最適のコヒーレンス・ゲートが決定される。このようにして、実時間動的フィードバックが用いられ、不規則な生体組織外形輪郭が最適な感度で撮像できるようになる。
【００２０】
〔方法〕
図９は、本発明の一実施形態によるアルゴリズムの流れ図を示す。比較的大きな走査範囲（ブロック１４）（例えば、約３〜１０ｍｍであるが、他の範囲を適切なものとして用いてもよい）で、ブロック１２において生体組織表面「Ｓ」を十分に見つけるために、ブロック１０において最初の走査線が調べられる。表面を見つけるために、少なくとも３つの方法の一つを用いることができる。第１の方法は、アダプティブ閾値（「Ｔ」）を用いることである。第２の方法は、１次の導関数ｄＩ（ｚ）／ｄｚ＝Ｄ１を用いる。第３の方法は、ゼロを横切る２次の導関数ｄ２Ｉ（ｚ）／ｄｚ２＝Ｄ２を用いる。
【００２１】
必要な幾つかの規則Ａ，Ｂ及びＣがある。第１の方法の場合、規則「Ａ」は、もしＩ（ｚ１）＞ＴならばＳ＝ｚ１というものである。第２の方法の場合、規則「Ｂ」は、もしｄＩ（ｚ２）／ｄｚ＞ＴならばＳ＝ｚ２というものである。第３の方法の場合、規則「Ｃ」は、もしｄ２Ｉ（ｚ３）／ｄｚ２＝０ならばＳ＝ｚ３というものである。微分を行う前にノイズを取り除いて、スパイク前処理をあまり行わなくてもよいようにするために、Ｉ（ｚ）をフィルタリングしなければならないことに注意されたい。斯かるフィルタ選別は、当業者に周知の多くのあらゆるフィルタ、例えば、限定はしないが、線形ブラー（linear blur）、ガウシアン、ウィンドウ、ローパスフィルタ、重畳（convolution）、モルフォロジー（morphology）、等々を含めたフィルタを使って行うことができる。表面が見つからない場合には、ブロック１０を繰り返すが、ただしブロック１２における結果に基づいて範囲オフセット（range offset）を変更する。例えば、信号が無い場合には、オフセットと範囲をランダムに変えればよい。信号はあるが弱く、アダプティブ閾値を超えなかった場合には、オフセットを調整する（すなわち、シグナルに対してゲート及びＳを動かして再度試行する）。その際のオフセットは、検出器によって検出される反射光の強度に基づいて設定される。
【００２２】
ブロック１２において潜在的に問題が有りうるのは、シースと内部反射（internal reflections）がカテーテルを用いた、もしくはシグナルを用いている場合で、このとき、最大の信号が生体組織の内側にある。このような場合には、導関数がＴより大きい複数の位置「ｚ」が存在し得る。
【００２３】
このような場合には、上記規則Ａ，Ｂ及びＣを解析して、どれが生体組織表面に対応するか決定する。図１０は、考えられる４つの当たりを示している。生体組織表面に対応するものは一つしかない。εを微小変化量とする。ピーク「Ａ」は、孤立した当たりであり、ピークの両側に感知できるような信号は無い。このため、ｚＡ−ε＜ｚＡ＜ｚＡ＋εに対して、Ｉ（ｚＡ±ε）≪Ｉ（ｚ）が存在する。ピーク「Ｂ」は、前側（つまり左側）には信号が無いが後側（つまり右側）にはあるようなピークを示している。このため、ｚＢ−ε＜ｚＢに対して、Ｉ（ｚＢ−ε）≪Ｉ（ｚＢ）かつＩ（ｚＢ）〜Ｉ（ｚＢ＋ε）である。言い方を変えれば、図１０は、信号（画像データ）閾値を超えないような４つの場合を示している。ピーク「Ａ」は、ピークの前もしくは後ろ（すなわち、隣の画素内、変化量であるε内）に信号が無い（上述のように（ｚ０）もしくは以下のように（ｚｍａｘ）と呼ばれるときがある）。そのため、このピークは無視する。同じ規則から、ピーク「Ｄ」を無視する。このピークは、該ピークの前後に信号が無い。ピーク「Ｃ」の場合、ピークの前後に信号がある。従って、このピークは表面ではあり得ない。ピーク「Ｂ」はピークの後に信号があるがピークの前には無い。従って、ピーク「Ｂ」は、生体組織表面の境界が開始することを示している。
【００２４】
ブロック１４に戻ると、今や定められた範囲があり、それは大抵最初の走査線に対して所望されるものよりも大きい。図１１は、一つの走査線を示す。最適の走査範囲Ｒが特定されるべき対象である。先ず、曲線を平滑化する（上述の方法を参照）。続いて２番目に、明らかに信号が無いような大きなｚまで外に出る、すなわち、Ｉ（ｚｍａｘ）＝ノイズであるような所を見つける。これは、〔Ｉ（ｚ±ε）〕の標準偏差が小さくなる所を探すことによって確かめることができる。３番目に、Ｉ（ｚ）が再び増加し始めるまで、すなわちＩ（ｚ′）＞Ｉ（ｚｍａｘ）（ここでＲ＝ｚ′−Ｓ）となるまで、ｚを減らす（すなわち、ｚをＳの方にずらす）。
【００２５】
同じような結果が得られる他の方法は、最初に平滑化して曲線の微分をとり、ｄ（Ｉ（ｚ′））／ｄｚ＝０（従ってＲ＝ｚ′−Ｓ）となる所を探すというものである。
【００２６】
別の統計的な手法も可能である。走査範囲Ｒの外側では最小限の信号を、そして内側ではできるだけ大きな信号が欲しいとするのが、基本的な操作パラメータである。これは、０次、もしくは１次の導関数、２次の導関数、確率分布関数の統計（例えば標準偏差）、指数関数によるフィッティング、及びこの分野で周知のその他の標準的なデータ解析処理によって実現することができる。
【００２７】
ノイズの中のスパイクであって、これがアーティファクトでありかつ信号解に数えられることがあるとすると、このスパイクは潜在的な問題となる可能性がある。フィルタ（中間値、階層（ordered）、アダプティブ（adaptive）、クロージング（closing）、拡張／収縮（dilitation）あるいはこの分野で周知の他のフィルタ）をレンジ・アーティファクト（range artifact）から出ることによって生じるスパイクを解消するために用いることができる。
【００２８】
図９に戻って、ブロック１６において参照アーム遅延波形を修正／調整する。コンピュータによって収集されたデータと参照アーム位置との間には、既知の１：１の関係がある。光遅延線を制御する波形を修正／調整するために、Ｓ及びＲを用いることができる。この段階で、ガルバノメータの波形を制御する式の中にＳ及びＲを入れなければならない。こうして、Ｇ（ｔ）＝ｆ（Ｓ，Ｒ，ｔ）となる。なお、Ｇ（ｔ）はガルバノメータの波形であり、ｆは関数である。このＧ（ｔ）は、デジタル的もしくはアナログ的にガルバノメータの波形に送られる。図１２は、コンピュータ・メモリー・ブロック２０へのガルバノメータの波形の出力／記憶の配列を示し、これがブロック２８における再マッピングへと進む。ここで「Ｎ」は撮像あたりの軸線走査の数である。このＳ，Ｒの配列は、再び（図９の）ブロック２８に対して、データを実空間にどのように再マップ化するかを示している。
【００２９】
ブロック２８（図９ならびに関連の個所の記載を再び参照されたい）から得られる新しいウィンドウを図１３Ｂは示し、図１３Ａは古いウィンドウを示している。Ｉ（ｘ，ｚ）は、ブロック２８の再マップ化されたイメージを作るためにＳ，Ｒの配列である入力値とともに、再マッピング関数の中に入れられる。全ての走査線、ｘに対して、異なる要素Ｓ及びＲが配列で存在する（すなわち、Ｓ０はＩ（ｘ０，ｚ）に対応し、ｚは連続である）。これは、プローブと選択された範囲との間の距離に関係する。
【００３０】
再マッピング（図９のブロック２８）は、各走査後に行われることが好ましい。記憶する場合、イメージは収集後に再マップ化される。ディスプレイ表示の場合、再マッピングは、双方向的に行われる。走査線（垂直バー）のそれぞれに対して既知のＳをそれぞれデータに加えて、外形輪郭を再マップ化する。画像のオフセットにＳを加える。言い換えれば、Ｓによる任意の所定の露出に対してデータをシフトさせる。各垂直バーは、各Ｓ値に基づいて（軸線走査）最マップ化される（シフトされる）。例えば、ｘ１におけるｚの値は、Ｓ１によるオフセットである。
【００３１】
複数の異なる式を再マッピングに用いることができる。その例を以下に示す：
（１）Ｉ（ｘｎ，ｚ）＝Ｉａｃｑ（ｘｎ，ｚ−Ｓｎ）
（２）Ｉ（ｘｎ，ｚ）＝Ｉａｃｑ（ｘｎ，ｚ−Ｓｎ−１）
（３）Ｉ（ｘｎ，ｚ）＝Ｉａｃｑ（ｘｎ，ｚ−Ｓｎ＋１）
ここで、ｎは、特定の軸線走査を示し、このとき、ｎはマッピングが行われている所に近接している。
【００３２】
このように、イメージを再マップ化／再ディスプレイ表示するために配列Ｒ，Ｓを用いている。これは、最マップ化されたイメージを蓄積するのに最も効率的な方法である。Ｓは、蓄積された＋Ｉａｃｑ（ｚ）とすることができ、再構築されたオフラインとすることができる。あるいは、Ｓ＋Ｉａｃｑ（ｚ）を、動的に、もしくは相互作用的に再構築することができる。
【００３３】
ブロック１８において参照アームに出力を送り、さらにブロック２０においてコンピュータにも蓄える。ブロック２２において撮像が終了していない場合には、画像を収集するまで、繰り返しブロック１２に回帰することによって、ブロック２４において次の走査線を調べる。もし撮像が済めば、続いて、ブロック２０よりコンピュータメモリーに蓄えられてそこから呼び出される修正参照アーム遅延波形と表面Ｓ情報とを用いて、ブロック２８において画像を再マップ化する。次いでブロック３０において画像を保存ないし再表示する。もし他の画像がブロック３２において調べられない場合、ブロック４０において処理を行う。
【００３４】
選択的に、ブロック３２において他の画像を撮る場合、ブロック３４においてアルゴリズムが新たな場所を調べるのかどうか尋ねる。もしそうであるなら、そのときには線３６で、ブロック１０において最初の走査線を調べる。もし線３８で画像を走査しないなら、そのときには次の表面部位Ｓをブロック１２において検出する。
【００３５】
〔オートフォーカス〕
他の実施形態において、本発明は、オートフォーカス・モードで用いることができる。図１４は、オートフォーカス・アルゴリズムのための流れ図を示している。
【００３６】
もしＳｎとＲｎとが分かっていれば、最適の焦点距離も分かり、最適のスポットサイズと共焦点パラメータを計算することができる。もし何らかの関数「ｇ」がカテーテルに与えられ、このとき、このカテーテルはｚｆだけ焦点が画素「ｎ」において（このときＳｎは既知である）変化すれのであれば、そのときは、知らなければならないことの全ては、もしＳｋにいるなら、（Ｓｋ−Ｓｎ）としてどのようにｇが変化するか計算できるということである。従って、所定のｎに対して、ｚｆ（ｎ）の焦点を得るのに、カテーテルに対してなすべきは何かということが分かる。Ｓｎもやはり既知である。それで、全てのｎに対して、Ｓｎ＋１がｇ（ｎ＋１）を生成する。言い換えれば、Ｓによって、焦点を調整することができるようになり、その結果、焦点が最適に生体組織内もしくは生体組織表面に位置するようになる。Ｒによって、共焦点パラメータを調整することができるようになり、その結果、スポットサイズが最適の走査範囲に亙って最小化されるようになる。画像から得られる動的フィードバックを用いながら、上記のカテーテルの修正、変更が実時間で行われる。これらの性能向上によって、検査を行いながら生体組織の最適の撮像が可能となる。
【００３７】
本発明の鍵となる特徴は、位置が分かっていれば、焦点をどこに動かすべきか算出することができるという点である。毎回焦点が最適となるまで焦点を修正変更する必要はなく、１回だけしかも一旦Ｓが算出されれば、その後は、走査に関する前のもしくは現在のＳを用いて焦点が修正変更される。本発明により、不規則な表面を有する生体組織を撮像し、概ね全画像を視野に置くことが可能になる。さらに、有用な画像情報しか含まないように走査範囲が削減され、そのため、信号の帯域幅が減り、場合によっては３〜５倍程までも画像感度が向上する。ヘテロダインもしくはロックイン検出を行う一方で、ノイズの阻止に用いられるフィルタの帯域幅を減らすことによって感度の向上を図ることができる。このフィルタ帯域幅は、ダイオードで切り替えられるキャパシタアレイを用いて動的に調整することができる。感度を増加させることは、精度を保ちつつ速度を上げるということ等価である。この点は、心血管システムを撮像する際に重要である。さらに、速度を増やすことによって、管腔の拡張を伴う心拍ならびに血圧に起因したモーション・アーティファクト（motion artifact）と、それに付随したアーム−試料距離の修正変更が低減する。オートフォーカスにより、どの走査位置に対しても、素早く生体組織上に最適な焦点を位置決めすることが可能になり、こうして、画像がより鮮明になる。また、本発明は、プローブ長さの変動を補償するという利点も有している。
【００３８】
本発明は、本明細書に記載されたような時間遅延走査ユニットを提供する。また、本発明は、光学的走査システムのための焦点調整機構を提供する。また、本発明は、表面トポグラフィによる生体組織表面に対するプローブ距離の変化とプローブ長さの設計をより正確に決定するための時間遅延走査の方法を提供する。
【００３９】
〔共焦点パラメータ〕
図１５は、共焦点顕微鏡検査解析の間の共焦点パラメータ調整に関するアルゴリズムを示す。共焦点パラメータは、Ｒ、最適走査ゲート範囲に最適化されている。ブロック２１０において最初の走査線が調べられた後、（上述したように）最適の格子範囲Ｒが決定される（ブロック２１２）。最適の共焦点パラメータ２ｚＲは、ブロック２１４において算出される。次に、カテーテル共焦点パラメータがブロック２１６において大体２ｚｅ（Ｒ＋ε）に対して調整変更される。ブロック２１８において撮像が終了していないならば、次の走査線２２０に進む。もし走査が終了であれば、ブロック２２２で終了する。２ｚＲ＝（２πω０２）／λである。ここで、ω０はビーム半径、λは波長、２ｚＲは共焦点パラメータである。
【００４０】
〔装置〕
図１６は、本発明の一実施形態による装置を概略的に示している。この装置の基本的な記述ならびに一連の図面は、オザワらによる米国特許第６，０６９，６９８号明細書に見られ、その開示内容は、本明細書に包括系に組み込まれている。図１６の関連する部材の基本的な記載は、オザワらによる図１に対応する。
【００４１】
図１７は、遅延線を概略的に示している。このガルバノメータは、一つのモータであり、ミラーに取付けられて該ミラーを部分的に傾斜／回転させる。遅延は一つだけ必要であるが、一つよりも多い遅延線でも構わない。別構成として、ミラーを固定させて回転しないようにするために、時間の関数として間隔（周期）が変わる格子を用いることができる。当業者に周知慣用とされた簡単な回折格子、ブレーズ格子、あるいはその他の回折格子を用いることができる。回折格子は、レンズ、ならびに参照アーム内の光遅延をミラー角度の関数として変化させるガルバノメータ走査ミラーに異なる波長を送る。
【００４２】
図１８は、これと別のシステムを概略的に示す図である。このシステムでは、直線変換装置８５上に直線運動するようにして取付けられたミラー８４によって遅延線が作り出されている。ここで、直線変換装置８５は、モータ／駆動ユニット８６，８７によって制御されている。図１８の基本的な構成部材の記述は、オザワらによる図１１に対応した記載に見られる。上記ミラー８４は、所定の速度で振動する。本発明により、アルゴリズムは、ミラー８４に進退走査を行わせ、時間と共に生体組織の表面をなぞるように次第にその並進運動をシフトさせる。ミラー８４が走査される毎に、この走査を一走査ないし一軸探査と呼ぶ。
【００４３】
図１９（オザワらによる図６と同様）は、さらに他のシステムを概略的に示している。このシステムでは、ドラム６５は、コンピュータ２５によって制御されている。圧電素子によって引き起こされたドラム径の僅かな変化によって、ドラムの周囲に巻回された細いファイバが引き伸ばされる。増加したファイバ長さが遅延線に寄与する。
【００４４】
図２０は、これとは別に音響光学変調器１５３を使用する構成を表している。音響光学変調器１５３は、コンピュータ制御された回折格子であり、このとき、回折格子の周期は、音響光学変調器に対する周波数に応じて変えることができる。
【００４５】
図２１は、本発明によるカテーテルを示し、オザワらによる図４を変えたものである。
【００４６】
図２２は、本発明の一実施形態によるカテーテルの詳細を示す。この構成は、オザワらによる図４に基づくものである。図２２Ａは（図２１の詳細）は、ブロック４９内に固定された光ファイバを有するカテーテルの遠位終端部を示している。ここで、ブロック４９は、ファイバをバネに固定している。固定されたブロック４９の代わりに、本発明は、長さが変えられるブロックを用いる。一実施形態において、上記ブロックは、ワイヤ４９Ｂによって接続された圧電変換器（「ピエゾ」）４９Ａである。電圧によってピエゾ４９Ａの長さが変更され、従ってレンズ５６と光ファイバの先端との間の離隔距離（ギャップ）が変更される。ファイバ先端に対するレンズの動きは、インセット図２２Ａ内に示されている。符号５８は、出射光である。符号５８ａは、ピエゾ電圧Ｖａでの出射光であり、符号５８ｂは、ピエゾ電圧Ｖｂでの出射光である。
【００４７】
レンズとファイバ先端との間の距離を制御可能に変える別の方法がある。一つの方法は、ピエゾ４９の代わりに風船もしくは拡張チャンバを用いることによるものである。ワイヤ４９Ｂの代わりに、カテーテル８内に延在するエア式もしくは液圧式の細管４９Ｃが存在している。図２３を参照すると、符号５８ａは、エアもしくは液体の圧力がＰａでの出射光であり、符号５８ｂは、圧力がＰｂでの出射光である。
【００４８】
図２４及び図２５は、焦点を変換するための２つの一般的な方法である。図２４は、一システムを概略的に示す図であって、ファイバとレンズとの間の距離が変化する際に、焦点の位置が変化する様子を表している。対象物距離ｄ１の場合、焦点は、光線をトレースする実線として示されている。距離ｄ２の場合、焦点は、光線をトレースする破線として示されている。距離と焦点長さとの間の関係は、１／ｄ＋１／ｉ＝１／ｆである。ここで、「ｉ」は、像までの距離（image distance）である。倍率は、Ｍ＝ｉ／ｄである。
【００４９】
図２５は、一つのシステムを概略的に示している。このシステムでは、ファイバ‐レンズ離隔距離は、固定され、レンズと反射器／プリズムとの間の離隔距離が変更される。本実施形態では、距離ｄ１での光ビームは、距離ｄ２での光ビームと比べて異なる焦点を有している。この変換は、上述したどの機構を用いても実現することができる。
【００５０】
図２６は、一つのシステムを概略的に示している。このシステムでは、ファイバと、複数の要素からなる複合レンズとの間のギャップは固定され、例えばレンズと反射器との間のギャップが固定されるが、個々のレンズ要素間のギャップの相対的な離隔距離が変わる。別の実施形態では、柔軟なカバー（外皮）を有しかつ光学的に透明な液体（例えば塩水、オイル）、ガス、もしくはその他の物質で満たされたレンズが用いられる。流体成分、柔軟なカバーの形状等が変更されると、焦点距離も変わる。
【００５１】
本明細書中、「所定の」、「一つの」という言葉は、単に「１個の」という意味に限定されず、むしろ、「１個」より多い数のことも意味する場合があることは理解されよう。本発明は、特定の実施形態と関連させられて述べられてきたが、これは、本発明を上述の特殊な形態に限定することを意図するものではなく、むしろそれとは逆に、請求項に規定されるような本発明の真の思想と観点の中に含まれると考えられるよう別形態、変形例を網羅しようとすることを意図するものである。本明細書中参照されたあらゆる特許明細書、出願明細書、及び公開文献は、包括的に本明細書に組み込まれているものとする。
【符号の説明】
【００５２】
１Ａ・・・光干渉トモグラフィ
２・・・低干渉性光源
３，５，７，１０・・・シングルモードファイバ
４・・・光カップラ部
６・・・光ロータリジョイント
８・・・光走査プローブ
９・・・コネクタ部
１１・・・生体組織
１２・・・フォトダイオード
１３・・・回転駆動ユニット
１４・・・光路長の可変機構
１６・・・グレーティング（回折格子）
１８・・・１軸ステージ
１９・・・ガルバノメータミラー
２０・・・ガルバノメータコントローラ
２３・・・復調器
２５・・・コンピュータ
Ｓ・・・表面位置
Ｒ・・・走査範囲
【図１】
2015096240.tif 000003
【図２Ａ】
2015096240.tif 000004
【図２Ｂ】
2015096240.tif 000005
【図２Ｃ】
2015096240.tif 000006
【図２Ｄ】
2015096240.tif 000007
【図３Ａ】
2015096240.tif 000008
【図３Ｂ】
2015096240.tif 000009
【図３Ｃ】
2015096240.tif 000010
【図４】
2015096240.tif 000011
【図５】
2015096240.tif 000012
【図６】
2015096240.tif 000013
【図７Ａ１】
2015096240.tif 000014
【図７Ａ２】
2015096240.tif 000015
【図７Ｂ１】
2015096240.tif 000016
【図７Ｂ２】
2015096240.tif 000017
【図７Ｃ１】
2015096240.tif 000018
【図７Ｃ２】
2015096240.tif 000019
【図８Ａ】
2015096240.tif 000020
【図８Ｂ】
2015096240.tif 000021
【図９】
2015096240.tif 000022
【図１０】
2015096240.tif 000023
【図１１】
2015096240.tif 000024
【図１２】
2015096240.tif 000025
【図１３Ａ】
2015096240.tif 000026
【図１３Ｂ】
2015096240.tif 000027
【図１４】
2015096240.tif 000028
【図１５】
2015096240.tif 000029
【図１６】
2015096240.tif 000030
【図１７】
2015096240.tif 000031
【図１８】
2015096240.tif 000032
【図１９】
2015096240.tif 000033
【図２０】
2015096240.tif 000034
【図２１】
2015096240.tif 000035
【図２２】
2015096240.tif 000036
【図２２Ａ】
2015096240.tif 000037
【図２３】
2015096240.tif 000038
【図２４】
2015096240.tif 000039
【図２５】
2015096240.tif 000040
【図２６】
2015096240.tif 000041
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
少なくとも１つの構造に関連する情報を得るための干渉装置であって、
前記少なくとも１つの構造からの及び前記少なくとも１つの構造への少なくとも１つの第１の光、並びに、基準からの及び基準への少なくとも１つの第２の光を送受信するように構成される少なくとも１つの光カップラ部と、
前記第１の光又は前記第２の光の少なくとも１つに基づいて、前記少なくとも１つの構造の少なくとも１つの部位から前記装置の少なくとも１つの部位までの距離を決定するように構成される少なくとも１つの電子装置と、を備え、
前記少なくとも１つの電子装置が、距離の関数として、
（ｉ）前記第１の光、又は
（ｉｉ）前記第２の光、
の少なくとも１つの光路長を制御するように更に構成され、
前記電子装置が、プローブの長さを補償するように前記第１の光又は前記第２の光の少なくとも１つを制御する、干渉装置。
【請求項２】
前記少なくとも１つの部位が、前記少なくとも１つの構造の表面である、請求項１に記載の干渉装置。
【請求項３】
前記少なくとも１つの構造が、生体構造を含む、請求項１に記載の干渉装置。
【請求項４】
前記少なくとも１つの電子装置が、コンピュータを含み、前記コンピュータが、（ｉ）前記制御された光路長に関連する前記少なくとも１つの構造に関連する情報を得、（ｉｉ）前記情報の関数として前記少なくとも１つの部位の少なくとも１つの画像を生成する、請求項１に記載の干渉装置。
【請求項５】
前記少なくとも１つの部位の画像を生成しながら、前記少なくとも１つの電子装置が、前記光路長を制御する、請求項１に記載の干渉装置。
【請求項６】
前記少なくとも１つの電子装置が、コンピュータを含み、前記コンピュータが、前記少なくとも１つの第１の光に基づいて前記少なくとも１つの部位からの長さを決定するように構成され、
前記少なくとも１つのコンピュータが、前記長さの関数として、前記少なくとも１つの第３の光の少なくとも１つの焦点距離を制御するように更に構成され、前記少なくとも１つの第３の光が、前記少なくとも１つの構造に送信する又は前記少なくとも１つの構造から受信するものである、請求項１に記載の干渉装置。
【請求項７】
前記少なくとも１つの電子装置が、コンピュータを含み、
前記コンピュータが、前記第１の光又は前記第２の光の少なくとも１つに基づいて、前記少なくとも１つの部位内における光の侵入深さを決定するように構成され、
前記少なくとも１つのコンピュータが、前記侵入深さの関数として、前記光路長の範囲を制御するように更に構成される、請求項１に記載の干渉装置。
【請求項８】
少なくとも１つの構造に関連する情報を得るための干渉方法であって、
前記少なくとも１つの構造からの少なくとも１つの第１の光、並びに基準からの及び基準への少なくとも１つの第２の光を送受信する段階、
前記第１の光又は前記第２の光の少なくとも１つに基づいて、前記少なくとも１つの構造の少なくとも１つの部位から装置の少なくとも１つの部位までの距離を決定する段階、及び、
前記距離の関数として、
（ｉ）前記第１の光、又は
（ｉｉ）前記第２の光、
の少なくとも１つである光路長を制御する段階、
を含み、
前記第１の光又は前記第２の光の少なくとも１つの制御が、プローブの長さを補償するように行われる、干渉方法。
【外国語明細書】
2015096240000001.pdf